(57)【要約】【課題】結線作業の作業性を高めたモジュラジャック用結線工具を提供する。【解決手段】モジュラジャック用結線工具Ａはコネクタ保持体１０と圧接レバー２０とで構成される。コネクタ保持体１０は、モジュラジャックＢが載置されるコネクタ保持台１１と、コネクタ保持台１１の一側から上方に突出し圧接レバー２０を回動自在に軸支するレバー支持台１２と、コネクタ保持台１１の他側から延出する把持部１３とで略Ｌ形に形成される。コネクタ保持台１１にはリブ１４ａ〜１４ｄが突設され、カバー１２０の左右両側部がレバー支持台１２及びリブ１４ｂの横片１４ｅに当接すると共に、カバー１２０の前面がリブ１４ａ，１４ｂの縦片に当接し、ボディ本体１１２後部の左右の角がリブ１４ｃ，１４ｄと当接し、さらにカバー１２０の上面がリブ１４ａ，１４ｂの上片と当接することで、モジュラジャックＢが前後、左右、上下の各方向において位置決めされる。【選択図】　　　図１
2004039562.tif 000002
【特許請求の範囲】
【請求項１】
モジュラプラグが着脱自在に接続されるプラグ接続部を有するハウジングと、先端縁の開放された圧接スリットを有するフォーク状に形成され、ハウジングの底面と反対側の面に先端縁を底面と反対側に向けて配設された複数の端子片と、各端子片に電気的に接続されるとともに、プラグ接続部に接続されるモジュラプラグの複数の接触子にそれぞれ弾接するようにプラグ接続部に配設された複数のコンタクトとを備えたモジュラジャックの端子片に外部電線を結線するためのモジュラジャック用結線工具であって、
モジュラジャックの底面を保持面に対向させた状態でモジュラジャックを保持する保持台部、上記保持面におけるモジュラジャックの載置部位の外側から保持面に対して略直交する方向に突出するレバー支持台、および保持台部におけるモジュラジャックの載置部位に対してレバー支持台と反対側の部位から延出し、手で把持可能な形状に形成された第１の把持部を有するコネクタ保持部材と、端子片に被さって外部電線を圧接する位置と端子片を開放する位置との間でレバー支持台に対して回動自在に軸支された圧接レバーとで構成され、
圧接レバーには、端子片に被さる位置に回動した状態で端子片と対向する部位に、複数の外部電線を対応する端子片にそれぞれ押圧することで圧接スリットに圧接する押圧部と、この押圧部に対して圧接レバーの回動中心と反対側の部位から延出し、第１の把持部とともに一方の手で把持可能な形状に形成された第２の把持部とを設け、
保持台部に、保持面上に載置されたモジュラジャックが保持面内の互いに直交する２つの直線に沿う４つの方向と保持面側に向かう方向とを含む少なくとも５つの方向へ移動するのを規制する規制手段を設けたことを特徴とするモジュラジャック用結線工具。
【請求項２】
モジュラプラグが着脱自在に接続されるプラグ接続部を有するハウジングと、先端縁の開放された圧接スリットを有するフォーク状に形成され、ハウジングの底面と反対側の面に先端縁を底面と反対側に向けて配設された複数の端子片と、各端子片に電気的に接続されるとともに、プラグ接続部に接続されるモジュラプラグの複数の接触子にそれぞれ弾接するようにプラグ接続部に配設された複数のコンタクトとを備えたモジュラジャックの端子片に外部電線を結線するためのモジュラジャック用結線工具であって、
モジュラジャックの底面を保持面に対向させた状態でモジュラジャックを保持する保持台部、上記保持面におけるモジュラジャックの載置部位の外側から保持面に対して略直交する方向に突出するレバー支持台、および保持台部におけるモジュラジャックの載置部位に対してレバー支持台と反対側の部位から延出し、手で把持可能な形状に形成された第１の把持部を有するコネクタ保持部材と、端子片に被さって端子片に外部電線を圧接するための圧接部材と、モジュラジャックとの間に圧接部材を挟持し、圧接部材をモジュラジャック側に押圧して端子片に外部電線を圧接する位置と圧接ブロックを開放する位置との間でレバー支持台に回動自在に軸支された圧接レバーとで構成され、
圧接部材には、端子片と対向する部位に、複数の外部電線を対応する端子片にそれぞれ押圧することで圧接スリットに圧接する押圧部を設けるとともに、圧接レバーには、圧接部材を押圧する部位に対して圧接レバーの回動中心と反対側の部位から延出し、第１の把持部とともに一方の手で把持可能な形状に形成された第２の把持部を設け、
保持台部に、保持面上に載置されたモジュラジャックが保持面内の互いに直交する２つの直線に沿う４つの方向と保持面側に向かう方向とを含む少なくとも５つの方向へ移動するのを規制する規制手段を設けたことを特徴とするモジュラジャック用結線工具。
【請求項３】
端子片に外部電線を圧接する位置まで圧接レバーを回動させる際に、コネクタ保持部材又は圧接レバーの内の一方に設けた係止突部を乗り越えて、係止突部と係止する弾性係止片をコネクタ保持部材又は圧接レバーの内の他方に設けたことを特徴とする請求項１又は請求項２記載のモジュラジャック用結線工具。
【請求項４】
コネクタ保持部材又は圧接レバーの内の一方に片持ち支持された薄板状の振動板を設けるとともに、コネクタ保持部材又は圧接レバーの内の他方に、端子片に外部電線を圧接する位置まで圧接レバーが回動すると前記振動板の自由端を弾いて音を発生させる突起を設けたことを特徴とする請求項１乃至請求項３の何れかに記載のモジュラジャック用結線工具。
【請求項５】
上記保持台部にモジュラジャックの載置方向を示す表示手段を設けたことを特徴とする請求項１乃至請求項４の何れかに記載のモジュラジャック用結線工具。
【請求項６】
上記第１及び第２の把持部の表面に丸みを持たせたことを特徴とする請求項１乃至請求項５の何れかに記載のモジュラジャック用結線工具。
【発明の詳細な説明】
【０００１】
【発明の属する技術分野】
本発明は、主として情報通信の分野で使用されるモジュラジャックの端子に信号線を圧接するためのモジュラジャック用結線工具に関するものである。
【０００２】
【従来の技術】
従来より、図１５（ａ）〜（ｃ）に示すような構造を有するモジュラジャックが提供されている。尚、図１５（ｂ）に示す方向において上下左右の方向を規定し、図１５（ｃ）の右端を前面、左端を後面としてモジュラジャックの説明を行う。
【０００３】
このモジュラジャックＢのハウジング１００は、前面が開口した合成樹脂成型品のボディ１１０と、ボディ１１０の前面側に嵌合する合成樹脂成型品のカバー１２０とを結合して形成される。ボディ１１０の前面側の両側縁にはフランジ１１１が突設されており、フランジ１１１に設けた組立孔（図示せず）に、カバー１２０の両側縁から突出する組立爪１２３を挿入して、組立爪１２３を組立孔の周縁に係止させることによって、ボディ１１０とカバー１２０とが結合される。
【０００４】
カバー１２０には、前面側の中央部に突台１２１が形成されており、突台１２１前面の略中央にはモジュラプラグ（図示せず）を挿入するプラグ挿入口１２２が開口している。
【０００５】
ボディ１１０には、両フランジ１１１より後側で、図１５（ａ）の下半分のみ後方に突出してボディ本体１１２が形成され、ボディ本体１１２の上面とボディ１１０の上半分の後面とには、２つの面により形成される角部に跨るように開口した配線口１１３が形成される。
【０００６】
カバー１２０とボディ１１０とが嵌合した状態で、突台１２１とボディ本体１１２とに囲まれる空間には、モジュラプラグが着脱自在に接続される合成樹脂製のジャックブロック１３０が収納されている。
【０００７】
ジャックブロック１３０の前面には、カバー１２０のプラグ挿入口１２２を通してモジュラプラグが接続されるプラグ接続部１３１が形成されている。ジャックブロック１３０の内部には８本の導電体が保持されており、各導電体の一端部にはプラグ接続部１３１の内部に突出する線状のコンタクト１３２が形成され、このコンタクト１３２がプラグ接続部１３１に挿入されるモジュラプラグの接触子と弾接することによって、モジュラジャックＢとモジュラプラグとが電気的に接続される。
【０００８】
また、ジャックブロック１３０の後部はボディ１１０の配線口１１３から外部に露出しており、配線口１１３から露出する部位には上方に突出する突台１３３が左右両側に設けてある。各突台１３３には上面側が開放されて左右方向に延びるスリット１３４が前後方向に４個ずつ形成され、各スリット１３４の内部には各導電体の他端部に設けた端子片１３５が配設されている。すなわち、ジャックブロック１３０の後部上面に８本の端子片１３５が左右２列に４本ずつ配列されており、さらに各列において隣接する２本の端子片１３５は左右方向に位置をずらして配列されている。
【０００９】
各端子片１３５は一対の刃の間に上端縁を開放した圧接スリット１３５ａを有するフォーク状に形成された圧接形のものであって、圧接スリット１３５ａの幅は接続する電線の芯線に圧接スリット１３５ａの両側縁が圧接する程度に設定されている。つまり、絶縁被覆を有する電線を圧接スリット１３５ａに上方から圧入すると、電線の絶縁被覆を圧接スリット１３５ａの両側縁で切ることにより絶縁被覆を剥ぎながら圧接スリット１３５ａの中に芯線を導入し、圧接スリット１３５ａの両側縁間に芯線を挟持するようになっている。この端子はＩＤＣ端子と呼ばれる周知のものであり、電線の被覆を剥く作業が必要なく、圧接スリット１３５ａに電線を押し込むだけで結線を行えるが、電線を押し込むのに大きな力が必要であり、図１５に示すようなインパクトツールＣと呼ばれる特殊な工具を用いて４対８芯のツイストペアケーブル９０の電線９１を端子片１３５に１本ずつ結線していた。
【００１０】
【発明が解決しようとする課題】
上述のようにインパクトツールＣを用いてモジュラジャックＢに結線する方法では、片方の手でモジュラジャックＢを押さえながら、もう片方の手でインパクトツールＣを持って結線作業を行うため、両方の手が塞がってしまい、作業性が悪かった。また、１度に１つの端子片１３５にしか電線を結線できないため、４極８芯のモジュラジャックＢでは結線作業を８回行わねばならず、作業性が悪いという問題があった。
【００１１】
また、モジュラジャックＢのハウジング１００に、各端子片１３５の圧接スリット１３５ａに電線を押し込む位置と、圧接スリット１３５ａを開放する位置との間で起伏自在にレバーを取り付け、このレバーを用いて複数の端子片１３５に電線をまとめて結線するものも提案されているが、モジュラジャックＢにレバーを内蔵させているので、モジュラジャックＢの外形寸法の制約を受けてレバーの大きさが小さくなり、電線を押し込む力を十分に低減できず、作業性が悪かった。
【００１２】
本発明は上記問題点に鑑みて為されたものであり、その目的とするところは、結線作業の作業性を向上させたモジュラジャック用結線工具を提供することにある。
【００１３】
【課題を解決するための手段】
上記目的を達成するために、請求項１の発明では、モジュラプラグが着脱自在に接続されるプラグ接続部を有するハウジングと、先端縁の開放された圧接スリットを有するフォーク状に形成され、ハウジングの底面と反対側の面に先端縁を底面と反対側に向けて配設された複数の端子片と、各端子片に電気的に接続されるとともに、プラグ接続部に接続されるモジュラプラグの複数の接触子にそれぞれ弾接するようにプラグ接続部に配設された複数のコンタクトとを備えたモジュラジャックの端子片に外部電線を結線するためのモジュラジャック用結線工具であって、モジュラジャックの底面を保持面に対向させた状態でモジュラジャックを保持する保持台部、上記保持面におけるモジュラジャックの載置部位の外側から保持面に対して略直交する方向に突出するレバー支持台、および保持台部におけるモジュラジャックの載置部位に対してレバー支持台と反対側の部位から延出し、手で把持可能な形状に形成された第１の把持部を有するコネクタ保持部材と、端子片に被さって外部電線を圧接する位置と端子片を開放する位置との間でレバー支持台に対して回動自在に軸支された圧接レバーとで構成され、圧接レバーには、端子片に被さる位置に回動した状態で端子片と対向する部位に、複数の外部電線を対応する端子片にそれぞれ押圧することで圧接スリットに圧接する押圧部と、この押圧部に対して圧接レバーの回動中心と反対側の部位から延出し、第１の把持部とともに一方の手で把持可能な形状に形成された第２の把持部とを設け、保持台部に、保持面上に載置されたモジュラジャックが保持面内の互いに直交する２つの直線に沿う４つの方向と保持面側に向かう方向とを含む少なくとも５つの方向へ移動するのを規制する規制手段を設けたことを特徴とする。
【００１４】
請求項２の発明では、モジュラプラグが着脱自在に接続されるプラグ接続部を有するハウジングと、先端縁の開放された圧接スリットを有するフォーク状に形成され、ハウジングの底面と反対側の面に先端縁を底面と反対側に向けて配設された複数の端子片と、各端子片に電気的に接続されるとともに、プラグ接続部に接続されるモジュラプラグの複数の接触子にそれぞれ弾接するようにプラグ接続部に配設された複数のコンタクトとを備えたモジュラジャックの端子片に外部電線を結線するためのモジュラジャック用結線工具であって、モジュラジャックの底面を保持面に対向させた状態でモジュラジャックを保持する保持台部、上記保持面におけるモジュラジャックの載置部位の外側から保持面に対して略直交する方向に突出するレバー支持台、および保持台部におけるモジュラジャックの載置部位に対してレバー支持台と反対側の部位から延出し、手で把持可能な形状に形成された第１の把持部を有するコネクタ保持部材と、端子片に被さって端子片に外部電線を圧接するための圧接部材と、モジュラジャックとの間に圧接部材を挟持し、圧接部材をモジュラジャック側に押圧して端子片に外部電線を圧接する位置と圧接部材を開放する位置との間でレバー支持台に回動自在に軸支された圧接レバーとで構成され、圧接部材には、端子片と対向する部位に、複数の外部電線を対応する端子片にそれぞれ押圧することで圧接スリットに圧接する押圧部を設けるとともに、圧接レバーには、圧接部材を押圧する部位に対して圧接レバーの回動中心と反対側の部位から延出し、第１の把持部とともに一方の手で把持可能な形状に形成された第２の把持部を設け、保持台部に、保持面上に載置されたモジュラジャックが保持面内の互いに直交する２つの直線に沿う４つの方向と保持面側に向かう方向とを含む少なくとも５つの方向へ移動するのを規制する規制手段を設けたことを特徴とする。
【００１５】
請求項３の発明では、請求項１又は請求項２の発明において、端子片に外部電線を圧接する位置まで圧接レバーを回動させる際に、コネクタ保持部材又は圧接レバーの内の一方に設けた係止突部を乗り越えて、係止突部と係止する弾性係止片をコネクタ保持部材又は圧接レバーの内の他方に設けたことを特徴とする。
【００１６】
請求項４の発明では、請求項１乃至請求項３の何れかの発明において、コネクタ保持部材又は圧接レバーの内の一方に片持ち支持された薄板状の振動板を設けるとともに、コネクタ保持部材又は圧接レバーの内の他方に、端子片に外部電線を圧接する位置まで圧接レバーが回動すると振動板の自由端を弾いて音を発生させる突起を設けたことを特徴とする。
【００１７】
請求項５の発明では、請求項１乃至請求項４の何れかの発明において、上記保持台部にモジュラジャックの載置方向を示す表示手段を設けたことを特徴とする。
【００１８】
請求項６の発明では、請求項１乃至請求項５の何れかの発明において、上記第１及び第２の把持部の表面に丸みを持たせたことを特徴とする。
【００１９】
【発明の実施の形態】
以下、本発明の実施の形態を図面に基づいて説明する。
【００２０】
（実施形態１）
本発明の実施形態１を図１〜図８に基づいて説明する。尚、本実施形態の説明では特に断りがない場合、図６に示す向きにおいて上下左右の方向を規定し、図３の上端を前側、図３の下端を後側とする。
【００２１】
本実施形態のモジュラジャック用結線工具（以下、結線工具と略す。）Ａは図１５に示す構造を有する単体のモジュラジャックＢに外部電線を結線するために用いられるものであり、ともに合成樹脂成型品よりなるコネクタ保持体１０（コネクタ保持部材）と圧接レバー２０とで構成される。
【００２２】
コネクタ保持体１０は、図２に示すように、扁平な直方体状に形成され上面（保持面）にモジュラジャックＢのハウジング１００が載置されるコネクタ保持部１１（保持台部）と、コネクタ保持部１１の長手方向の一端側（ハウジング１００の載置部位の外側）からコネクタ保持部１１と略直交する方向に突出するレバー支持台１２と、コネクタ保持部１１の長手方向の他端側（すなわちコネクタ保持部１１におけるレバー支持台１２と反対側の端部）から延出し、手で把持可能な形状に形成された把持部１３（第１の把持部）とで略Ｌ形に形成されている。
【００２３】
コネクタ保持部１１の上面におけるモジュラジャックＢの載置部位１１ａは他の部位よりも一段低くなっており、モジュラジャックＢはハウジング１００の長手方向がコネクタ保持体１０の長手方向（圧接レバー２０の回転方向）に沿うようにして載置部位１１ａに載置されている。したがって、モジュラジャックＢを載置部位１１ａに載置した状態では、各突台１３３のスリット１３４が圧接レバー２０の回転方向に沿うように配置される。尚、コネクタ保持部１１の載置部位１１ａにはモジュラジャックＢの載置方向を示す表示１１ｂ（表示手段）が設けられており、この表示にしたがい端子片１３５を上向きにして、コネクタ保持部１１の載置部位１１ａにハウジング１００を載置しているので、施工時に作業者が載置方向を間違えるのを防止できる。
【００２４】
コネクタ保持部１１には載置部位１１ａの周りを囲むように位置決め用の複数のリブ１４ａ〜１４ｄが形成されている。リブ１４ａ〜１４ｄの内、ハウジング１００の前面と対向する２つのリブ１４ａ，１４ｂは断面Ｌ形に形成され、その上片がハウジング１００の上面と当接するようになっている。また、ハウジング１００の左側に位置するリブ１４ａはレバー支持台１２と連結されており、ハウジング１００の右側に位置するリブ１４ｂの右側縁からは後方に突出する横片１４ｅが連続一体に延設されている。また、ハウジング１００の後面と対向する２つのリブ１４ｃ，１４ｄは上側から見た形状がそれぞれＬ形、逆Ｌ形に形成され、その高さ寸法はリブ１４ａ，１４ｂよりも低くなっており、各々のリブ１４ｃ，１４ｄはボディ本体１１２の後部の角にそれぞれ当接するように配置されている。
【００２５】
而して、モジュラジャックＢのハウジング１００を、端子片１３５を上向きにして、後側からリブ１４ｃ，１４ｄの上側を越えてコネクタ保持部１１の載置部位１１ａに斜め下向きに挿入すると、カバー１２０の左右両側部がレバー支持台１２及びリブ１４ｂの横片１４ｅと当接するとともに、ボディ本体１１２後部の左右両側部がリブ１４ｃ，１４ｄで保持されることによって、ハウジング１００の左右方向への移動が規制され、ハウジング１００の下面が載置部位１１ａの表面と当接するとともに、カバー１２０の上面がリブ１４ｃ，１４ｄの上片と当接することによって、ハウジング１００の上下方向への移動が規制される。またカバー１２０の前面がリブ１４ａ，１４ｂと当接するとともに、ボディ本体１１２の後面がリブ１４ｃ，１４ｄに当接することによって、ハウジング１００の前後方向への移動が規制される。すなわち、規制手段としてのリブ１４ａ〜１４ｄと横片１４ｅとレバー支持台１２とによって、ハウジング１００がコネクタ保持台１１の上面（保持面）と略平行な平面内の互いに直交する２つの直線に沿う４つの方向（左右方向及び前後方向）と、上面に略直交する直線に沿う２つの方向（上下方向）との６つの方向においてそれぞれ位置決めされるので、結線作業時に手でモジュラジャックＢを押さえる必要がなく、結線工具Ａを持つ片方の手だけで結線作業が行えるから、結線作業の作業性が向上する。
【００２６】
また、レバー支持台１２の上端部には、前後方向の両側部から先端が半円形に形成された一対の軸受片１２ａ，１２ａが突設され、各軸受片１２ａにはそれぞれ軸１５を挿通する軸孔１２ｂが形成されている。
【００２７】
一方、圧接レバー２０は扁平な直方体状であって、長手方向の一端側には手で把持可能な形状に形成された把持部２１（第２の把持部）が設けられ、他端側にはレバー支持台１２に軸支される回動軸２２が設けられている。そして、レバー支持台１２の軸受片１２ａ，１２ａに設けた軸孔１２ｂ，１２ｂと回動軸２２に設けた軸孔（図示せず）とに軸１５を挿通することによって、圧接レバー２０がレバー支持台１２に回動自在に軸支されている。
【００２８】
ここに、圧接レバー２０は、端子片１３５に被さって外部電線を圧接する位置と、端子片１３５を開放する位置との間で回動可能となっており、端子片１３５に外部電線を圧接する位置（圧接位置）まで回動させた状態で、圧接レバー２０の把持部２１の先端位置と、コネクタ保持体１０の把持部１３の先端位置とがほぼ揃うように、圧接レバー２０およびコネクタ保持体１０の長さ寸法が設定されている。
【００２９】
圧接レバー２０を圧接位置まで回動させた状態で端子片１３５と対向する圧接レバー２０の部位には、短幅方向（前後方向）の両側が開放され、モジュラジャックＢの突台１３３，１３３が入り込む凹溝２３が形成されている。そして、凹溝２３の底面からは両突台１３３に設けたスリット１３４にそれぞれ挿入される４個の押圧リブ２４（押圧部）が圧接レバー２０の長手方向（圧接レバーの回転方向）に沿って立設されており、各押圧リブ２４の先端部には端子片１３５を逃がすための切欠溝２４ａが２個ずつ形成されている。
【００３０】
また、圧接レバー２０の先端部には、下面と右側面とで形成される角に跨るように開口した凹部２５が形成されており、この凹部２５内には先端部の断面形状が三角形状の係止突部２６と、凹部２５の端面に一端側が固定された平板状の突起２７とが前後方向に並べて設けられている。一方、コネクタ保持体１０の先端部の上面には、凹部２５と対向する部位に、係止突部２６と係止離脱自在に係止する爪１６ａが上端部に形成された弾性係止片１６が突設されている。また、弾性係止片１６の側方には直方体状の突出片１７が形成され、この突出片１７には突起２７との対向面の上端部からコネクタ保持部１１の上面と略平行に延びる薄板状の振動板１７ａが突出している。
【００３１】
以下に、この結線工具Ａを用いてモジュラジャックＢに外部電線を結線する方法を説明する。先ず、結線工具Ａの圧接レバー２０を起こした状態で、モジュラジャックＢのスリット１３４内に、ツイストペアケーブル９０の８本の電線９１（外部電線）を整列させて仮固定した後、このモジュラジャックＢのボディ本体１１２を、後部を少し上にした状態で後方よりコネクタ保持部１１に挿入して、周りをリブ１４ａ〜１４ｄで囲まれた載置部位１１ａに載置する。この時、上述のようにリブ１４ａ〜１４ｄと横片１４ｅとレバー支持台１２とによってモジュラジャックＢのハウジング１００が前後、左右、上下の各方向において位置決めされる。
【００３２】
このように、コネクタ保持部１１にモジュラジャックＢのハウジング１００を載置して位置決めした状態で、図６に示すように圧接レバー２０を倒して、コネクタ保持体１０の把持部１３と圧接レバー２０の把持部２１とを片方の手で握ると（図５参照）、圧接レバー２０の凹溝２３内に設けた押圧リブ２４が、モジュラジャックＢの突台１３３に設けたスリット１３４内に入り込み、この押圧リブ２４によってスリット１３４内に整列された電線が端子片１３５に押し付けられる（図３参照）。この時、端子片１３５の圧接スリットの両側縁で電線の絶縁被覆を切ることにより絶縁被覆を剥ぎながら圧接スリットの中に芯線が導入され、圧接スリットの両側縁間に芯線が挟持されて、結線作業が完了する。尚、押圧リブ２４は圧接レバー２０の回転方向に沿って延びており、またスリット１３４も圧接レバー２０の回転方向に沿って延びているので、圧接レバー２０の回転に伴って押圧リブ２４が円弧を描くように移動したとしても、押圧リブ２４がスリット１３４内にスムーズに挿入されるようになっている。また、圧接レバー２０の前面にはフランジ部１１１及びカバー１２０との干渉を避けるために凹所２０ａが凹設されており、この凹所２０ａの端面には圧接レバー２０を圧接位置まで回動させた際にハウジング１００の組立爪１２３を逃がすための凹溝２０ｂ，２０ｂが形成されている。
【００３３】
ここで、圧接レバー２０には、８本の電線を対応する端子片１３５にそれぞれ圧接する４個の押圧リブ２４を設けてあるので、複数の電線に対する結線作業を一度に行うことができる。また、圧接レバー２０の回動中心から電線の結線位置（押圧リブ２４）までの距離と、回動中心から把持部２１までの距離との比率によって、圧接時に必要な操作力が低減されるのであるが、圧接レバー２０には押圧リブ２４が形成された部位に対して回動軸２２と反対側の部位に把持部２１を設けており、モジュラジャックＢ自体に圧接レバーを設ける場合のように圧接レバーの大きさに制約がないから、回動中心から押圧リブ２４までの距離に比べて把持部２１までの距離を十分長くとることができ、小さな力で結線作業を行うことができる。
【００３４】
また、コネクタ保持体１０及び圧接レバー２０の把持部１３，２１の表面はそれぞれ円周面に形成されており、表面に丸みを持たせているので、手で握る位置が分かりやすく、また把持部１３，２１を強く握っても手が痛くなく、握りやすくなっている。尚、把持部１３，２１をさらに握りやすくするため、把持部１３，２１を片方の手で握る際に各々の指が当たる部位に半円形状の凹みを形成しても良い。
【００３５】
ところで、図６に示すように圧接レバー２０を圧接位置の手前まで回動させると、圧接作業が完了する前に圧接レバー２０に設けた係止突部２６にコネクタ保持体１０に設けた弾性係止片１６の爪１６ａが当接して、弾性係止片１６が外側に撓められ、圧接レバー２０の回動に抵抗する力が発生する。この抵抗力に抗してさらに圧接レバー２０をコネクタ保持体１０側に押し込むと、押圧リブ２４が電線を圧接スリットに押し込む瞬間には、図７に示すように弾性係止片１６の爪１６ａが係止突部２６を乗り越え、上述の抵抗力がなくなるので、押圧リブ２４が外部電線を圧接スリットに押し込む力と弾性係止片１６により発生する抵抗力の和が減少し、圧接レバー２０を回動させるのに必要な力が急激に低下するから、圧接レバー２０の操作にためを作って、圧接作業が完了する位置まで圧接レバー２０を勢いよく確実に回動させることができる。また、圧接レバー２０の把持部２１とコネクタ保持体１０の把持部１３とを握る力、すなわち圧接レバー２０を回動させるのに必要な力が減少することで、結線作業が完了したという感覚が得られるようになっている。
【００３６】
また、圧接レバー２０を、圧接が完了する位置まで回転させると、圧接レバー２０に設けた突起２７がコネクタ保持体１０に片持ち支持された振動板１７ａの自由端と当接して、振動板１７ａが下向きに撓められ（図７参照）、その後突起２７が振動板１７ａを乗り越えることで（図８参照）、突起２７が振動板１７ａの自由端を弾いて結線の完了を報知する音を発生する。尚、振動板１７ａの自由端を突起２７で撓ませる距離に比例して、振動エネルギーが大きくなり、その結果発生する音も大きくなるので、発生する音の大きさは圧接レバー２０を回転させる速度には影響されにくくなっており、圧接レバー２０を回動させる速度が遅い場合でも大きな音を発生させることができる。
【００３７】
また、圧接レバー２０を圧接位置まで回転させると、圧接レバー２０の下面に設けた回転止めリブ２８がコネクタ保持体１０の上面と当接することで、それ以上モジュラジャックＢに近付く向きに回転しないようになっているので、圧接位置からさらに圧接レバー２０を回転させることで、モジュラジャックＢや圧接レバー２０に無理な力が加わるのを防止できる。また、コネクタ保持体１０の上面には、回転止めリブ２８と対向する部位の両側にガイドリブ１８，１８が突設されており、回転止めリブ２８がガイドリブ１８，１８でガイドされることによって、圧接レバー２０の前後方向における位置ずれを少なくでき、圧接レバー２０の押圧リブ２４がモジュラジャックＢのハウジング１００に設けたスリット１３４内にスムーズに挿入されるようになっている。
【００３８】
尚、本実施形態ではモジュラジャックＢのハウジング１００が、保持面内の互いに直交する２つの直線に沿う４つの方向（前後方向及び左右方向）と保持面に直交する直線に沿う２つの方向（上下方向）とを含む６つの方向に移動するのを規制手段によって規制しているが、図９に示すように保持面内の互いに直交する２つの直線に沿う４つの方向と保持面側に向かう方向とを含む５つの方向へ移動するのを規制するようにしても良い。この結線工具Ａでは載置部位１１ａの周りを囲むように位置決め用の複数のリブ１９ａ〜１９ｄを形成してある。リブ１９ａ〜１９ｄの内、ハウジング１００の前面と対向する２つのリブ１９ａ，１９ｂは平板状であって、ハウジング１００の左側に位置するリブ１９ａはレバー支持台１２と連結されており、ハウジング１００の右側に位置するリブ１９ｂの右側縁からは後方に突出する横片１９ｇが連続一体に延設されている。また、ハウジング１００の後面と対向する２つのリブ１９ｃ，１９ｄは、その高さ寸法がリブ１９ａ，１９ｂよりも低くなっており、各々のリブ１９ｃ，１９ｄはボディ本体１１２の後面にそれぞれ当接するように配置されている。また、載置部位１１ａにはボディ本体１１２の左右両側面に設けた凹部（図示せず）と係合するリブ１９ｅ，１９ｆを形成してある。
【００３９】
而して、モジュラジャックＢのハウジング１００を、端子片１３５を上向きにして、上側からコネクタ保持部１１の載置部位１１ａに挿入すると、カバー１２０の左右両側部がレバー支持台１２及びリブ１９ｂの横片１９ｅと当接するとともに、ボディ本体１１２の左右両側面に設けた凹部にリブ１９ｅ，１９ｆが係合することで、ハウジング１００の左右方向への移動が規制され、ハウジング１００の下面が載置部位１１ａの表面と当接することで、ハウジング１００の下方向への移動が規制される。またカバー１２０の前面がリブ１９ａ，１９ｂと当接するとともに、ボディ本体１１２の後面がリブ１９ｃ，１９ｄに当接し、ボディ本体１１２の左右両側面に設けた凹部にリブ１９ｅ，１９ｆが係合することによって、ハウジング１００の前後方向への移動が規制される。
【００４０】
（実施形態２）
本発明の実施形態２を図１０〜図１４に基づいて説明する。尚、図１０及び図１４では図示を簡単にするため後述するアーム６１を省略して図示してある。また、以下の説明では特に断りがない場合、図１０の矢印ａ−ｂを上下方向、矢印ｃ−ｄを左右方向、矢印ｅ−ｆを前後方向として説明を行う。
【００４１】
本実施形態の結線工具Ａは、図１５に示すような単体のモジュラジャックＢや図１４に示すような露出コネクタＤに外部電線を結線するために用いられるものであり、ともに合成樹脂成型品よりなるコネクタ保持体１０（コネクタ保持部材）と圧接ブロック４０（圧接部材）と圧接レバー５０とで構成される。
【００４２】
コネクタ保持体３０は、図１０に示すように、扁平な直方体状に形成され上面（保持面）にモジュラジャックＢのハウジング１００が載置されるコネクタ保持部３１（保持台部）と、コネクタ保持部３１の長手方向の一端側（ハウジング１００の載置部位の外側）からコネクタ保持部３１と略直交する方向に延出し、その上端部の左右両側からコネクタ保持部３１と略平行な方向に軸受部３４，３４が突出するレバー支持台３２と、コネクタ保持部３１の長手方向の他端側から延出し、手で把持可能な形状に形成された把持部３３（第１の把持部）とで略Ｊ形に形成されており、各軸受部３４の先端には、先端部の形状が略半円形に形成され互いに対向して配置される一対の軸受片３４ａが形成されており、４つの軸受片３４ａには一本の軸３９を挿通する軸孔３４ｂがそれぞれ穿設されている。
【００４３】
上述した実施形態１ではハウジング１００の長手方向が圧接レバーの回転方向に沿うようにしてモジュラジャックＢをコネクタ保持部に配置しているが、本実施形態では単体のモジュラジャックＢと露出コネクタＤの両方の結線作業が行えるよう、ハウジング１００の短幅方向がコネクタ保持体３０の長手方向（圧接レバー５０の回転方向）に沿うようにしてモジュラジャックＢを載置している。したがって、モジュラジャックＢをコネクタ保持部１１に載置した状態では、各突台１３３のスリット１３４が圧接レバー２０の回転方向に沿うように配置される。尚、コネクタ保持部３１の上面（保持面）にはモジュラジャックＢの載置方向を示す表示３１ａ（表示手段）が設けられており、この表示にしたがい端子片１３５を上向きにして、コネクタ保持部３１の載置部位にハウジング１００を載置しているので、施工時に作業者が載置方向を間違えるのを防止できる。
【００４４】
コネクタ保持部３１の上面には、コネクタ保持部３１に載置されたモジュラジャックＢのボディ本体１１２後面とそれぞれ当接する一対の位置決めリブ３５，３５が突設されている。またレバー支持台３２の縦片には、カバー１２０の左右両側面とそれぞれ当接するリブ３６，３６が突設されている。また、中央の２つの軸受片３４ａとコネクタ保持部３１の間の間隔はカバー１２０の高さ寸法と略同じ寸法に設定されている。
【００４５】
而して、モジュラジャックＢのハウジング１００をコネクタ保持部３１の載置部位に載置した状態では、図１１に示すようにレバー支持台３２のリブ３６，３６が突台部１２１の両側の段部に当接するとともに、コネクタ保持部３１のリブ３５，３５がボディ本体１１２の後面に当接し、さらにカバー１２０の上下両面がコネクタ保持部３１の上面および軸受片３４ａの下面と当接することで、ハウジング１００の前後方向、左右方向及び上下方向への移動が規制される。すなわち、規制手段としてのリブ３５，３６とレバー支持台３２の軸受片３４ａとで、ハウジング１００がコネクタ保持部３１の上面（保持面）と略平行な平面内の互いに直交する２つの直線に沿う４つの方向（左右方向及び前後方向）と、上面に略直交する直線に沿う２つの方向（上下方向）との６つの方向においてそれぞれ位置決めされるので、結線作業時に手でモジュラジャックＢ或いは露出コネクタＤを押さえる必要がなく、結線工具Ａを持つ片方の手だけで結線作業が行えるから、結線作業の作業性が向上する。
【００４６】
圧接ブロック４０は略直方体状に形成され、アーム６１，６１を介してコネクタ保持体３０に軸支されている。図１２に示すように、圧接ブロック４０の下面（モジュラジャックＢとの対向面）にはモジュラジャックＢの突台１３３，１３３がそれぞれ入り込む二条の凹溝４１，４１が両側に形成されており、各凹溝４１の底面からは突台１３３に設けたスリット１３４にそれぞれ挿入される押圧リブ４２（押圧部）が４個ずつ立設され、各押圧リブ４２の先端部には端子片１３５を逃がすための切欠溝４２ａが形成されている。
【００４７】
ところで、上述した各アーム６１は、軸受片３４ａの軸孔３４ｂに通した軸３９を一端部に設けた軸孔（図示せず）に挿通することによって、両側の軸受部３４に回動自在に軸支されている。一方、圧接ブロック４０の左右両側面の上側縁には、長孔４３ａを有する取付片４３がそれぞれ突設されており、各アーム６１の他端部に設けた軸６１ａを各取付片４３の長孔４３ａにそれぞれ挿通させることで、圧接ブロック４０がアーム６１を介してコネクタ保持体３０に軸支されるようになっている（図１１及び図１３参照）。ここで、長孔４３ａの長辺方向は圧接ブロック４０の上面と略平行であるので、圧接ブロック４０をコネクタ保持体３０に保持させた状態で、圧接ブロック４０がコネクタ保持体３０の上面と略平行な方向に移動可能となっている。また、圧接ブロック４０の下面には、ジャックブロック１３０の両側面に設けた縦溝１３６，１３６（図１５（ａ）（ｃ）参照）にそれぞれ嵌合するガイド用の嵌合突片４４，４４と、ジャックブロック１３０の後端部にそれぞれ当接する当接リブ４５，４５とが夫々突設してある。したがって、圧接ブロック４０をジャックブロック１３０の上面に被せると、嵌合突片４４が縦溝１３６内に嵌合するとともに、当接リブ４５がジャックブロック１３０の後端部に当接することで、アーム６１の回動に応じて圧接ブロック４０が傾かず上下方向のみに移動して、電線を端子片１３５に押圧できるようになっている。
【００４８】
一方、圧接レバー５０は扁平な直方体状であって、長手方向の一端側には手で把持可能な形状に形成された把持部５１（第２の把持部）が設けられ、他端側には軸受部３４に軸支される回動軸５２が設けられており、軸受片３４ａの軸孔３４ｂに通した軸３９を回動軸５２に設けた軸孔（図示せず）に挿通することによって、軸受部３４に回動自在に軸支されている。
【００４９】
この圧接レバー５０は、圧接ブロック４０を押圧して端子片１３５に外部電線を圧接する位置と、圧接ブロック４０を開放する位置との間で回動可能となっており、圧接ブロック４０を押圧して端子片に外部電線を圧接する位置（圧接位置）まで圧接レバー５０を回転させた状態で、圧接レバー５０の把持部５１の先端位置とコネクタ保持体３０の把持部３３の先端位置とが揃うように、圧接レバー５０およびコネクタ保持体３０の長さ寸法が設定されている。
【００５０】
また、圧接レバー５０の先端部には下面と右側面とで形成される角に跨るように開口した凹部５３が形成されており、この凹部５３内には、先端部の断面形状が三角形状の係止突部５４と、凹部５３の端面に一端部が固定された平板状の突起５５とが左右に並べて設けられている。一方、コネクタ保持体３０の先端部の上面には、凹部５３と対向する部位に、係止突部５４と係止離脱自在に係止する爪３７ａが上端部に形成された弾性係止片３７が突設されている。また、弾性係止片３７の側方には直方体状の突出片３８が形成され、この突出片３８には突片５３との対向面の上端部からコネクタ保持部３１の上面と略平行に延びる薄板状の振動板３８ａが突出している。
【００５１】
以下に、この結線工具Ａを用いてモジュラジャックＢに外部電線を結線する方法を説明する。先ず、圧接レバー５０及びアーム６１を起こした状態で、モジュラジャックＢのスリット１３４内に、ツイストペアケーブル９０の８本の電線９１を整列させて仮固定した後、モジュラジャックＢのハウジング１００を、後部を少し上にした状態で後方よりコネクタ保持部３１に挿入し、コネクタ保持部３１に載置する。この時、ボディ本体１１２の後面にリブ３５，３５が当接するとともに、カバー１２０の左右両側部がリブ３６，３６と当接し、さらにカバー１２０の上下面が中央の２つの軸受片３４ａの下面とコネクタ保持部１１の上面とにそれぞれ当接することで、モジュラジャックＢのハウジング１００が前後方向、左右方向及び上下方向の各方向において位置決めされる。
【００５２】
このように、モジュラジャックＢのハウジングをコネクタ保持部３１に位置決めした状態でアーム６１，６１を倒して圧接ブロック４０を下方に移動させ、圧接ブロック４０の嵌合突片４４をジャックブロック１３０の縦溝１３６内に嵌合させるようにして圧接ブロック４０をジャックブロック１３０に位置決めして、圧接ブロック４０をモジュラジャックＢのハウジング１００に被せる。
【００５３】
この状態で圧接レバー５０を倒して、コネクタ保持体３０の把持部３３と圧接レバー５０の把持部５１とを片方の手で握ると、圧接レバー５０によって圧接ブロック４０がモジュラジャックＢに押し付けられて、圧接ブロック４０の押圧リブ４２がモジュラジャックＢの突台１３３に設けたスリット１３４内に入り込み、この押圧リブ４２によってスリット１３４内に整列された外部電線が端子片１３５に押し付けられる。この時、端子片１３５の圧接スリットの両側縁で電線の絶縁被覆を切ることにより絶縁被覆を剥ぎながら圧接スリットの中に芯線が導入され、圧接スリットの両側縁間に芯線が挟持されて、結線作業が完了する。尚、圧接レバー５０の左右両側面には、圧接ブロック４０の取付片４３，４３との干渉を避けるための凹所５０ａ，５０ａが凹設されている。
【００５４】
ここで、圧接ブロック４０には、８本の電線を対応する端子片１３５にそれぞれ圧接する８個の押圧リブ４２を設けてあるので、複数の電線に対する結線作業を一度に行うことができる。また、圧接レバー５０の回動中心から圧接ブロック４０の押圧位置までの距離と、回動中心から把持部５１までの距離との比率によって、圧接時に必要な操作力が低減されるのであるが、圧接レバー５０には圧接ブロック４０の押圧部位に対して回動軸５２と反対側の部位に把持部５１を設けてあり、モジュラジャックＢ自体に圧接レバーを設ける場合のように圧接レバーの大きさに制約がないから、回動中心から結線位置までの距離に比べて把持部５１までの距離を十分長くとることができ、小さな力で結線作業を行うことができる。また、コネクタ保持体３０及び圧接レバー５０の把持部３３，５１の表面はそれぞれ円周面に形成されており、表面に丸みを持たせているので、手で握る位置が分かりやすく、把持部３３，５１を強く握っても手が痛くなく、握りやすくなっている。尚、把持部３３，５１をさらに握りやすくするため、把持部３３，５１を片方の手で握る際に各々の指が当たる部位に半円形状の凹みを形成しても良い。
【００５５】
ところで、圧接レバー５０を圧接位置の手前まで回動させると、押圧リブ４２が電線を圧接スリットに圧接する前に、圧接レバー５０に設けた係止突部５４にコネクタ保持体３０に設けた弾性係止片３７の爪３７ａが当接して、弾性係止片３７が外側に撓められ、圧接レバー５０の回動に抵抗する力が発生する。この抵抗力に抗してさらに圧接レバー５０をコネクタ保持体３０側に押し込むと、押圧リブ４２が外部電線を圧接スリットに押し込む瞬間には、弾性係止片３７の爪３７ａが係止突部５４を乗り越え、上述の抵抗力がなくなるので、押圧リブ４２が外部電線を圧接スリットに押し込む力と弾性係止片３７によって発生する抵抗力の和が減少し、圧接レバー５０を回動させるのに必要な力が急激に低下するから、圧接レバー５０の操作にためを作って、圧接作業が完了する位置まで圧接レバー５０を勢いよく確実に回動させることができる。また、圧接レバー５０の把持部５１とコネクタ保持体３０の把持部３３とを握る力、すなわち圧接レバー５０を回動させるのに必要な力が減少することで、結線作業が完了したという感覚が得られるようになっている。
【００５６】
また、圧接レバー５０を、圧接が完了する位置まで回転させると、圧接レバー５０に設けた突起５５がコネクタ保持体３０に片持ち支持された振動板３８ａの自由端と当接して、振動板３８ａが下向きに撓められ、突起５５が振動板３８ａを乗り越えることで（すなわち突起５５が振動板３８ａの自由端を弾くことで）、振動板３８ａが振動して結線の完了を報知する音を発生する。尚、振動板３８ａの自由端を突起３９で撓ませる距離に比例して、振動エネルギーが大きくなり、その結果発生する音も大きくなるので、発生する音の大きさは圧接レバー２０を回転させる速度には影響されにくくなっており、圧接レバー２０を回動させる速度が遅い場合でも大きな音を発生させることができる。
【００５７】
ところで、上述した実施形態１では圧接レバー２０に押圧リブ２４を設けているのに対して、本実施形態では圧接レバー５０とは別体の圧接ブロック４０に押圧リブ４２を設け、この圧接ブロック４０をアーム６１，６１を介してレバー支持台３２に連結しており、圧接ブロック４０を圧接レバー５０でモジュラジャックＢに押し付けている。ここで、圧接ブロック４０の嵌合突片４４がジャックブロック１３０の縦溝１３６と嵌合することによって、圧接ブロック４０がモジュラジャックＢに対して位置決めされ、上下方向のみにスライドするようになっているので、実施形態１のように圧接レバー５０の回転に伴って、押圧リブが円弧を描くように移動することはない。
【００５８】
このように本実施形態では、押圧リブ４２の設けられた圧接ブロック４０を上下方向のみに移動させているので、図１４に示すようにベース１４０の上面に１乃至複数個（図１４の例では１個）の露出形のモジュラジャックＢ’を並設したような露出コネクタＤにも本実施形態の結線工具Ａを用いて外部電線を結線することができる。露出形のモジュラジャックＢ’は、図１５に示すモジュラジャックＢと同様の構造を有するジャックブロック１３０を備え、ジャックブロック１３０の前面をベース１４０の長手方向の一側縁に沿うように配置している。そして、ジャックブロック１３０の前面をレバー支持台３２に対向させ、コネクタ保持体３０と圧接レバー５０とでベース１４０を長手方向から挟むようにベース１４０をコネクタ保持台３１に載置しているので、ベース１４０をコネクタ保持台３１に載置した状態では、スリット１３４の延びる方向が圧接レバー５０の回転方向に対して略直交している。ここで、実施形態１のように圧接レバーに押圧リブを形成した場合、押圧リブは圧接レバーの回転に伴って円弧を描くように移動するため、スリット１３４の延びる方向が圧接レバーの回転方向に対して略直交している場合は、スリット１３４内に押圧リブがスムーズに入らない虞があるが、本実施形態では押圧リブ４２が形成された圧接ブロック４０を圧接レバー５０と別体とし、アーム６１を介してコネクタ保持体３０に連結しており、アーム６１と圧接ブロック４０との連結部位に遊びを持たせ、圧接ブロック４０の嵌合突片４４とジャックブロック１３０の縦溝１３６とを嵌合させることで、圧接ブロック４０を上下方向のみに移動させるようにしているので、スリット１３４内に押圧リブ４２をスムーズに挿入させることができ、単体のモジュラジャックＢ及び露出コネクタＤの両方に対して外部電線を確実に結線することができる。
【００５９】
なお、本発明は上記の各実施形態に限定される趣旨のものではなく、本発明の技術思想の範囲内において、適宜変更されることは言うまでもない。
【００６０】
【発明の効果】
上述のように、請求項１の発明は、モジュラプラグが着脱自在に接続されるプラグ接続部を有するハウジングと、先端縁の開放された圧接スリットを有するフォーク状に形成され、ハウジングの底面と反対側の面に先端縁を底面と反対側に向けて配設された複数の端子片と、各端子片に電気的に接続されるとともに、プラグ接続部に接続されるモジュラプラグの複数の接触子にそれぞれ弾接するようにプラグ接続部に配設された複数のコンタクトとを備えたモジュラジャックの端子片に外部電線を結線するためのモジュラジャック用結線工具であって、モジュラジャックの底面を保持面に対向させた状態でモジュラジャックを保持する保持台部、上記保持面におけるモジュラジャックの載置部位の外側から保持面に対して略直交する方向に突出するレバー支持台、および保持台部におけるモジュラジャックの載置部位に対してレバー支持台と反対側の部位から延出し、手で把持可能な形状に形成された第１の把持部を有するコネクタ保持部材と、端子片に被さって外部電線を圧接する位置と端子片を開放する位置との間でレバー支持台に対して回動自在に軸支された圧接レバーとで構成され、圧接レバーには、端子片に被さる位置に回動した状態で端子片と対向する部位に、複数の外部電線を対応する端子片にそれぞれ押圧することで圧接スリットに圧接する押圧部と、この押圧部に対して圧接レバーの回動中心と反対側の部位から延出し、第１の把持部とともに一方の手で把持可能な形状に形成された第２の把持部とを設け、保持台部に、保持面上に載置されたモジュラジャックが保持面内の互いに直交する２つの直線に沿う４つの方向と保持面側に向かう方向とを含む少なくとも５つの方向へ移動するのを規制する規制手段を設けたことを特徴とし、圧接レバーには、複数の外部電線を対応する端子片にそれぞれ押圧することで圧接スリットに圧接する押圧部を設けてあるので、複数の端子片に対して一度に結線作業を行えるという効果がある。しかも、押圧部に対して圧接レバーの回動中心と反対側の部位から、第１の把持部と共に一方の手で把持するための第２の把持部を延出しているので、モジュラジャック自体に圧接レバーを設ける場合のように圧接レバーの大きさに制約がなく、圧接レバーの回動中心から電線の結線位置までの距離に対して、回動中心から第２の把持部までの距離を十分長くとることによって、端子片に外部電線を圧接する際に必要な力を十分低減できるという効果がある。そのうえ、規制手段により、保持面上に載置されたモジュラジャックが保持面内の互いに直交する２つの直線に沿う４つの方向と保持面側に向かう方向とを含む少なくとも５つの方向へ移動するのを規制しているので、手でモジュラジャックを押さえる必要がなく、結線工具を持つ片方の手だけで結線作業が行えるから、結線作業の作業性が向上するという効果がある。
【００６１】
請求項２の発明は、モジュラプラグが着脱自在に接続されるプラグ接続部を有するハウジングと、先端縁の開放された圧接スリットを有するフォーク状に形成され、ハウジングの底面と反対側の面に先端縁を底面と反対側に向けて配設された複数の端子片と、各端子片に電気的に接続されるとともに、プラグ接続部に接続されるモジュラプラグの複数の接触子にそれぞれ弾接するようにプラグ接続部に配設された複数のコンタクトとを備えたモジュラジャックの端子片に外部電線を結線するためのモジュラジャック用結線工具であって、モジュラジャックの底面を保持面に対向させた状態でモジュラジャックを保持する保持台部、上記保持面におけるモジュラジャックの載置部位の外側から保持面に対して略直交する方向に突出するレバー支持台、および保持台部におけるモジュラジャックの載置部位に対してレバー支持台と反対側の部位から延出し、手で把持可能な形状に形成された第１の把持部を有するコネクタ保持部材と、端子片に被さって端子片に外部電線を圧接するための圧接部材と、モジュラジャックとの間に圧接部材を挟持し、圧接部材をモジュラジャック側に押圧して端子片に外部電線を圧接する位置と圧接部材を開放する位置との間でレバー支持台に回動自在に軸支された圧接レバーとで構成され、圧接部材には、端子片と対向する部位に、複数の外部電線を対応する端子片にそれぞれ押圧することで圧接スリットに圧接する押圧部を設けるとともに、圧接レバーには、圧接部材を押圧する部位に対して圧接レバーの回動中心と反対側の部位から延出し、第１の把持部とともに一方の手で把持可能な形状に形成された第２の把持部を設け、保持台部に、保持面上に載置されたモジュラジャックが保持面内の互いに直交する２つの直線に沿う４つの方向と保持面側に向かう方向とを含む少なくとも５つの方向へ移動するのを規制する規制手段を設けたことを特徴とし、圧接レバーには、複数の外部電線を対応する端子片にそれぞれ押圧することで圧接スリットに圧接する押圧部を設けてあるので、複数の端子片に対して一度に結線作業を行えるという効果がある。しかも、押圧部に対して圧接レバーの回動中心と反対側の部位から、第１の把持部と共に一方の手で把持するための第２の把持部を延出しているので、モジュラジャック自体に圧接レバーを設ける場合のように圧接レバーの大きさに制約がなく、圧接レバーの回動中心から電線の結線位置までの距離に対して、回動中心から第２の把持部までの距離を十分長くとることによって、端子片に外部電線を圧接する際に必要な力を十分低減できるという効果がある。さらに、圧接部材を圧接レバーとは別体に形成しているので、圧接レバーに押圧部を設けた場合のように圧接レバーの回転に伴って押圧部が円弧を描くように移動してその位置がずれることはなく、圧接部材の押圧部とモジュラジャックの端子片との位置を確実に合わせて、結線作業を確実に行えるという効果がある。そのうえ、規制手段により、保持面上に載置されたモジュラジャックが保持面内の互いに直交する２つの直線に沿う４つの方向と保持面側に向かう方向とを含む少なくとも５つの方向へ移動するのを規制しているので、手でモジュラジャックを押さえる必要がなく、結線工具を持つ片方の手だけで結線作業が行えるから、結線作業の作業性が向上するという効果がある。
【００６２】
請求項３の発明は、請求項１又は請求項２の発明において、端子片に外部電線を圧接する位置まで圧接レバーを回動させる際に、コネクタ保持部材又は圧接レバーの内の一方に設けた係止突部を乗り越えて、係止突部と係止する弾性係止片をコネクタ保持部材又は圧接レバーの内の他方に設けたことを特徴とし、端子片に外部電線を圧接する位置まで圧接レバーを回動させる際に、弾性係止片が係止突部に当接して撓められると、圧接レバーの回動に抵抗する力が発生し、この力に抗してさらに圧接レバーを回動させると、弾性係止片が係止突部を乗り越えることによって、弾性係止片に発生する抵抗力が無くなって、圧接レバーを回動させるのに必要な力が急激に低下するようになっているので、圧接レバーの操作にためを作って、圧接作業が完了する位置まで圧接レバーを勢いよく回動させることができるという効果があり、さらに圧接レバーを回動させるのに必要な力が低下することで、圧接作業が完了したことを認識できるという効果もある。
【００６３】
請求項４の発明は、請求項１乃至請求項３の何れかの発明において、コネクタ保持部材又は圧接レバーの内の一方に片持ち支持された薄板状の振動板を設けるとともに、コネクタ保持部材又は圧接レバーの内の他方に、端子片に外部電線を圧接する位置まで圧接レバーが回動すると振動板の自由端を弾いて音を発生させる突起を設けたことを特徴とし、端子片に外部電線を圧接する位置まで圧接レバーが回動すると、突起が振動板の自由端を弾いて振動させることにより音を発生させているので、圧接作業が完了したことを音で認識できるという効果がある。さらに、振動板の自由端を突起で撓ませる距離に比例して、振動エネルギーが大きくなり、その結果発生する音も大きくなるので、圧接レバーを回動させる速度が遅い場合でも大きな音を発生させることができるという効果がある。
【００６４】
請求項５の発明は、請求項１乃至請求項４の何れかの発明において、上記保持台部にモジュラジャックの載置方向を示す表示手段を設けたことを特徴とし、表示手段によりモジュラジャックの載置方向を容易に判別できるという効果がある。
【００６５】
請求項６の発明は、請求項１乃至請求項５の何れかの発明において、上記第１及び第２の把持部の表面に丸みを持たせたことを特徴とし、表面に丸みを持たせることで、把持部を強く握っても手が痛くなく、握りやすいという効果があり、さらに第１及び第２の把持部の表面に丸みを持たせているので、手で握る部分が分かりやすいという効果もある。
【図面の簡単な説明】
【図１】実施形態１のモジュラジャック用結線工具にモジュラジャックを載置した状態の一部省略せる外観斜視図である。
【図２】同上を示し、圧接レバーを起こした状態の一部破断せる外観斜視図である。
【図３】同上にモジュラジャックを載置し、圧接レバーを圧接位置に回動させた状態の一部破断せる上面図である。
【図４】同上にモジュラジャックを載置し、圧接レバーを圧接位置に回動させた状態の外観斜視図である。
【図５】同上の使用状態を説明する説明図である。
【図６】同上にモジュラジャックを載置し、圧接レバーを圧接位置の手前まで回動させた状態の一部破断せる側面図である。
【図７】同上にモジュラジャックを載置し、弾性係止片が係止突起を乗り越える位置まで圧接レバーを回動させた状態の一部破断せる側面図である。
【図８】同上にモジュラジャックを載置し、圧接レバーを圧接位置まで回動させた状態の一部破断せる側面図である。
【図９】同上の別のモジュラジャック用結線工具を示し、圧接レバーを起こした状態の一部破断せる外観斜視図である。
【図１０】実施形態２のモジュラジャック用結線工具を示し、圧接レバーを起こした状態の一部省略せる外観斜視図である。
【図１１】同上のコネクタ保持部にモジュラジャックを載置し、圧接ブロックを被せた状態の一部省略せる斜視図である。
【図１２】同上の圧接ブロックを下側から見た斜視図である。
【図１３】同上にモジュラジャックを載置して、圧接レバーを圧接位置まで回動させた状態の一部破断せる側面図である。
【図１４】同上に露出コネクタを載置して、圧接レバーを圧接位置まで回動させた状態の一部破断せる上面図である。
【図１５】同上を用いて結線するモジュラジャックを示し、（ａ）は側面図、（ｂ）は正面図、（ｃ）は上面図である。
【図１６】従来のモジュラジャック用結線工具を用いた施工方法を説明する説明図である。
【符号の説明】
Ａ　　モジュラジャック用結線工具
１０　コネクタ保持体
１１　保持台部
１２　レバー支持台
１３　把持部
１４ａ〜１４ｄ　リブ
１４ｅ　横片
２０　圧接レバー
Ｂ　　モジュラジャック
１１２　ボディ本体
１２０　カバー
【図１】
2004039562.tif 000003
【図２】
2004039562.tif 000004
【図３】
2004039562.tif 000005
【図４】
2004039562.tif 000006
【図５】
2004039562.tif 000007
【図６】
2004039562.tif 000008
【図７】
2004039562.tif 000009
【図８】
2004039562.tif 000010
【図９】
2004039562.tif 000011
【図１０】
2004039562.tif 000012
【図１１】
2004039562.tif 000013
【図１２】
2004039562.tif 000014
【図１３】
2004039562.tif 000015
【図１４】
2004039562.tif 000016
【図１５】
2004039562.tif 000017
【図１６】
2004039562.tif 000018